(57)【要約】【課題】  スピーカ等の磁石付き部品を装置本体の側面に取り付ける際、支持爪に磁石付き部品が乗り上げていても目視で確認しずらく、組立不良を見逃す恐れがあった。乗り上げが発生するとスピーカが取付部から脱落するようにし、確実に組付け不良をチェックできるようにする。【解決手段】  支持爪のうち磁石付き部品の下方にあるものにおいて、磁石付き部品の支持面に５〜４５°の傾斜を持たせる。【選択図】  図１
2007166304.tif 000002
【特許請求の範囲】
【請求項１】
磁石を構成の一部に含む磁石付き部品を電子装置本体の側面に固定するための支持爪を供えた取付機構において、
取付機構は支持爪を３つ以上有し、支持爪は磁石付き部品の側面を支える支持面を有し、支持爪のうち少なくとも１つは磁石付き部品の下方に設けられ、取付面の垂線に対して５°以上４５°以下の角度を成す支持面を有し、その他の支持爪は支持面が取付面に対して略垂直であり、前記磁石付き部品から発生する磁束を遮蔽する手段としての防磁板を備え、防磁板は磁石付き部品を電子装置本体に固定する固定爪を備えることを特徴とする磁石付き部品の取付機構。
【請求項２】
取付面に対して垂直な支持面を持つ支持爪において、支持面の先に磁石付き部品が取付面の垂線方向へ移動するのを規制するための返しを備えていることを特徴とする請求項１に記載の磁石付き部品の取付機構。
【請求項３】
返しを持つ支持爪において、返しが水平方向から下方にかけての方向を向いていることを特徴とする請求項１に記載の磁石付き部品の取付機構。
【請求項４】
取付面の垂線に対し角度を成す支持面をもつ支持爪において、支持面の途中に曲げを有する"く"の字型形状を成しており、根元側では支持面が取付面に対して略垂直であり、先端側では取付面の垂線に対して５°以上４５°以下の角度を成すことを特徴とする請求項１に記載の磁石付き部品の取付機構。
【発明の詳細な説明】
【技術分野】
【０００１】
本発明は、スピーカに代表される一部にマグネットを含む部品や装置の取付・固定方法に関するものである。
【背景技術】
【０００２】
近年では、ユーザーの利便性の向上のために電子装置に磁石付き部品の一種であるスピーカを取り付け、操作内容の確認などを音声でユーザーが確認できるようにした電子装置が多く存在する。
【０００３】
電子装置にスピーカを取り付ける場合、近年では部品やビスの点数の削減や組立工数の削減のため、ビスを用いないでスピーカを固定する方法が広く用いられている。
【０００４】
具体的には、電子装置本体側にスピーカの取付機構を設け、組立作業者はまずスピーカを装置本体に仮止めした状態にする。その上でスピーカを装置本体に取り付けるための保持部材を取り付けることで最終的にスピーカを電子装置本体に固定する。
【０００５】
上記に示すような取付機構が無い場合、作業者は片手でスピーカを電子装置本体に押さえつけながらもう片方の手でビス止め作業をしなければならないが、スピーカを仮止めすることにより作業者は両手で作業することが可能になり、作業性を向上する。
【０００６】
ここではスピーカを本体に仮止めする機構の一般的な例を図８を用いて説明する。
【０００７】
スピーカ６は略円形の外形を有しており、スピーカ外周７は薄い円盤状の形をしている。電子装置本体にはスピーカ６を取り付けるスピーカ取付面９が設けられており、スピーカ取付面９にはスピーカ外周７を支持するための支持爪が複数個設けられている。
【０００８】
支持爪のうちいくつかはスピーカ６がスピーカ取付面７から浮き上がるのを押えるための返しがあり（以下、支持爪Ａ１０、返し１０Ａとする）、その対向する側に位置には返し１０Ａのついていない支持爪（支持爪Ｂ１１とする）がある。
【０００９】
作業者はまずスピーカ６を斜めに傾かせた状態で、スピーカ外周７を支持爪Ａ１０に差し込む（図８（a)）。その後に傾かせていたスピーカ６をスピーカ取付面９にぴったりとくっつける（図８（ｂ)）。すると支持爪Ａ１０の略対向側に設けられた支持爪Ｂ１１の上にスピーカ外周７が乗る。このようにスピーカ６は支持爪Ａ１０および支持爪Ｂ１１に支えられて仮止めされる。
【００１０】
また、スピーカ取付面９は鋼鉄などの強磁性金属で構成されており、スピーカ６に含まれるマグネット８とスピーカ取付面９の間には磁力が働き、仮止めされたスピーカ６はより強固に仮止めされる。
【００１１】
ただし、磁力による仮止め状態では振動や衝撃によってスピーカ６が脱落してしまうので、最後にスピーカ６を装置本体に強固に固定するための固定部材を取り付ける。
【００１２】
固定部材を支持爪Ｂ１１の近辺に取り付け、スピーカ外周７をその全周において支持爪Ａ１０および固定部材で押えることにより、スピーカ６は電子装置本体に固定される。
【００１３】
スピーカ６を電子装置本体に仮止めすることで、作業者はスピーカ６を電子装置本体に手で押さえつけながら作業する必要が無くなり、作業性が向上する。
【００１４】
一方、スピーカー６に含まれるマグネット８から発する磁束が電子装置の外部に漏れないよう、スピーカ６を防磁板１３で覆うことが一般的である。この防磁板１３にスピーカ６を固定するための固定爪１４を設けることで、スピーカ６の固定部材として兼ねることができ、部品点数を減らしコストを抑えることができる。
【００１５】
従来例としては、例えば特許文献１と特許文献２をあげることが出来る。
【特許文献１】特開平７−２３４９８号公報
【特許文献２】特開２００３−７８９９２号公報
【発明の開示】
【発明が解決しようとする課題】
【００１６】
しかし、上記のような構成の取付機構では、以下のような問題点があった。
【００１７】
図９に示すように、スピーカ６の仮止めの際に支持爪Ａ１０のうち１つにおいて、スピーカ６が支持爪Ａ１０に乗り上げてしまう取付不良が発生する恐れがあった。乗り上げ状態のまま固定部材を取り付けても、外部からの衝撃が加わる等した時に、乗り上げが発生した個所からスピーカ６がすり抜けて脱落してしまう。
【００１８】
しかし、乗り上げが発生しても外観ではスピーカ６が少々浮き気味になるだけなので、一見したところスピーカ６は装置本体に正規に保持された状態と見分けがつきにくい。結果として、作業者が取付不良に気づかずに修正せず、完成した製品においてスピーカ６が衝撃等で脱落する、あるいは音孔（不図示）からスピーカ６が遠ざかる等のため、スピーカ６から発した音がユーザに聞こえる時に、音量が小さかったり音質が悪化するなどの不具合が発生する恐れがある。
【課題を解決するための手段】
【００１９】
本発明は下記の構成を特徴とする磁石を含む部品の取付機構である。
【００２０】
（１）磁石を構成の一部に含む磁石付き部品を電子装置本体の側面に固定するための支持爪を供えた取付機構において、取付機構は支持爪を３つ以上有し、支持爪は磁石付き部品の側面を支える支持面を有し、支持爪のうち少なくとも１つは磁石付き部品の下方に設けられ、取付面の垂線に対して５°以上４５°以下の角度を成す支持面を有し、その他の支持爪は支持面が取付面に対して略垂直であり、前記磁石付き部品から発生する磁束を遮蔽する手段としての防磁板を備え、防磁板は磁石付き部品を電子装置本体に固定する固定爪を備えることを特徴とする磁石付き部品の取付機構。
【００２１】
スピーカ等の磁石付き部品の取付不良の発生を容易に発見できるようになり、不良品の発生を抑えることが出来、なおかつ組立作業性が良好でコスト安な磁石付き部品の取付構造を提供することが出来る。
【００２２】
（２）取付面に対して垂直な支持面を持つ支持爪において、支持面の先に磁石付き部品が取付面の垂線方向へ移動するのを規制するための返しを備えていることを特徴とする請求項１に記載の磁石付き部品の取付機構。
【００２３】
スピーカ等の磁石付き部品を装置本体により確実に固定することが出来る。
【００２４】
（３）返しを持つ支持爪において、返しが水平方向から下方にかけての方向を向いていることを特徴とする請求項１に記載の磁石付き部品の取付機構。
【００２５】
スピーカ等の磁石付き部品の乗り上げによる組付不良が発生したときに、より確実に脱落を発生させることが出来る。
【００２６】
（４）取付面の垂線に対し角度を成す支持面をもつ支持爪において、支持面の途中に曲げを有する"く"の字型形状を成しており、根元側では支持面が取付面に対して略垂直であり、先端側では取付面の垂線に対して５°以上４５°以下の角度を成すことを特徴とする請求項１に記載の磁石付き部品の取付機構。
【００２７】
磁石付き部品と取付面の間の磁力が弱い場合でも、正規に取り付けられた磁石付き部品が脱落せずに確実に仮止めされることが出来る。
【発明の効果】
【００２８】
以上説明したように、本発明によれば、磁石を含む部品の取付機構において、スピーカ等の磁石付き部品の取付不良の発生を容易に発見できるようになり、不良品の発生を抑えることが出来、なおかつ組立作業性が良好でコスト安な磁石付き部品の取付構造を提供することが出来る。
【００２９】
また、スピーカ等の磁石付き部品を装置本体により確実に固定することが出来る。
【００３０】
また、スピーカ等の磁石付き部品の乗り上げによる組付不良が発生したときに、より確実に脱落を発生させることが出来る。
【００３１】
また、磁石付き部品と取付面の間の磁力が弱い場合でも、正規に取り付けられた磁石付き部品が脱落せずに確実に仮止めされることが出来る。
【発明を実施するための最良の形態】
【００３２】
（実施例１）
本発明の実施例１を図１〜図５に基づいて説明する。
【００３３】
ただし、以下の実施例に記載されている基本部品の寸法、材質、形状、それらの相対位置などは、本発明が適用される装置の構成や各種条件により適宜変更されるべきものであり、特に特定的な記載がない限りは、本発明の範囲をそれらのみに限定する主旨のものではない。
【００３４】
本実施例では、複写機、ファクシミリ、プリンタ等の画像形成装置１におけるスピーカ６の取付方法を例にあげて本発明による磁石付き部品の取付・固定方法を説明する。
【００３５】
なお、本実施例では磁石付き部品としてスピーカ６を取り上げているが、本発明ではスピーカ６以外のマグネットを磁石付き部品（例えばソレノイドなど）にも適用することが可能である。
【００３６】
図１は画像形成装置１の外観を示す斜視図である。
【００３７】
画像形成装置１は画像成形部２と、画像成形部２の上部に設置された原稿読取部３から成る。
【００３８】
原稿読取部３は内蔵されたイメージスキャナ（不図示）により原稿に印字された画像情報を読み取り、それを信号として画像成形部２へと送信する。
【００３９】
画像成形部２は原稿読取部３から送信されてきた画像情報、あるいは画像形成装置１に接続されたパーソナルコンピュータ等の情報端末から送信されてきた画像情報に基づいて、給紙トレイ４から給紙された用紙の上にトナーを転写し、トナーが積載された用紙を加熱定着することで用紙に画像を形成することができる。
【００４０】
また、原稿読取部３にはユーザインターフェイスとなる操作パネル５がある。ユーザが画像成形装置１をファクシミリや複写機として使用する際に操作パネル５のボタン等を操作すると、スピーカ６から操作音や案内音が、あるいは誤った操作をした場合は警告音や案内音が流れる。
【００４１】
次に図２〜図５を用いて、本実施例の特徴的な構成であるスピーカ６の取付構造について詳しく説明する。
【００４２】
図２に示すスピーカ６が略円形の外形を有しており、スピーカ外周７は薄い円盤状の形状を成している。また、スピーカ６にはマグネット８を組み込まれている。また、スピーカ６を覆うように防磁板１３がビス１５によって取り付けられている。
【００４３】
画像形成部２に設けられたスピーカ取付面９は鉄等の強磁性金属で構成されている。スピーカ取付面９は水平面に対して略直角の角度を成している。また、スピーカ６から発せられる音をスピーカ取付面９が遮蔽することなくユーザに十分な音量が届くよう、スピーカ取付面９には多数の音孔（不図示）が穴を開けられている。
【００４４】
スピーカ取付面９にはスピーカ６を仮止めするための支持爪が複数設けられている。そのうちのいくつかにはスピーカ６がスピーカ取付面９から浮き上がるのを押えるための返し１０Ａがついており、このような返し１０Ａを持つ支持爪を支持爪Ａ１０と呼ぶ。
【００４５】
支持爪Ａ１０はスピーカ６の外周円の中心よりも上方に位置していおり、返し１０Ａは水平方向から下側にかけての方向を向いており、スピーカ６が脱落等によってスピーカ取付面９に沿って下方へとスライド移動した時にスピーカ６の移動を妨げないようになっている。
【００４６】
また、支持爪Ａ１０に略対向する位置には返し１０Ａを持たない支持爪が設けられている。
【００４７】
従来では図８に示すように返し１０Ａを持たない支持爪の切り起し部はスピーカ取付面９に対して略垂直の角度を成していた。このようなスピーカ取付面に対して略垂直の面を持つものを支持爪Ｂ１１と呼ぶ。
【００４８】
一方、本実施例では図３に示すように、返し１０Ａを持たない支持爪の切り起し部はスピーカ取付面９の垂線に対して角度αを成している。以後、このように角度αを成している支持爪を特に支持爪Ｃ１２と呼ぶ。
【００４９】
角度αは５〜４５°の範囲に設定することが望ましい。しかし、角度αが小さすぎるとスピーカ６の乗り上げが発生してもスピーカ外周７の下端部が自重で支持爪Ｃ１２の斜面部を滑り落ちていかない。逆に角度αが大きすぎるとスピーカ６の乗り上げが発生せずに正規に仮止めされていた場合でもスピーカ外周７の下端部が斜面部を滑り落ちてしまう恐れがある。
【００５０】
適切な角度αの大きさはスピーカ６の重量、スピーカ外周７と支持爪Ｃ１２の斜面部の摩擦係数、マグネット８とスピーカ取付面９との間の磁力の大きさ等の条件によって異なるので、スピーカ取付部の構成にあわせて角度αの最適な値に調整する必要がある。
【００５１】
なお、図２に示すように支持爪Ｃ１２はスピーカ６の真下に設けられている。スピーカ６が脱落等によってスピーカ取付面９に沿って下方へとスライド移動した時に、スピーカ外周７が支持爪Ｃ１２の斜面部に着地するようになっている。
【００５２】
防磁板１３はマグネット８から発する磁束が画像形成装置１の外部に漏れるのを軽減するためのものである。図１および図２に示すように、防磁板１３はスピーカ６との距離を一定に保ちつつ、スピーカ６を覆っている。
【００５３】
防磁板１３にはスピーカ６をスピーカ取付面９に固定するための固定爪１４が設けられている。防磁板１３をビス１５によって画像形成装置１に取り付けると、固定爪１４はスピーカ外周７をスピーカ取付面９に押さえつける。固定爪１４は支持爪Ｃ１２の近辺でスピーカ外周７を押えるような位置に設けられている。
【００５４】
防磁板を取り付けることにより、スピーカ外周７は支持爪Ａ１０および固定爪１４によって全周においてスピーカ取付面７に押さえつけられ、仮止め状態だったスピーカ６は完全にスピーカ取付面７に取り付けられる。
【００５５】
本実施例のようにスピーカを固定するための固定部材を防磁板１３で兼ねることで、部品点数を削減することが可能になり、コストの削減や装置の小型化することが出来る。
【００５６】
次に、スピーカ６を画像形成装置１に取り付ける手順を図３を用いて説明する。
【００５７】
作業者はまずスピーカを斜めに傾かせた状態で、スピーカ外周７を支持爪Ａ１０に差し込む（図３（a)）。その後に傾かせていたスピーカをスピーカ取付面９にぴったりとくっつける（図３（ｂ)）。すると支持爪Ｃ１２の上にスピーカ外周７が乗る。このようにスピーカは支持爪Ａ１０および支持爪Ｃ１２に支えられて仮止めされる。
【００５８】
続いて防磁板１３をビス１５で画像形成装置１に取り付けることにより、固定爪１４によりスピーカ６がスピーカ取付面７に固定される。
【００５９】
次に、スピーカ６を仮止めする際に取付不良が発生した場合を図３〜図５を用いて説明する。
【００６０】
スピーカ６が正常に仮止めされた場合はスピーカ６は取付面９に密着状態となり（図３（ｂ)）、マグネット８による磁力によってスピーカ６は取付面９に仮止めされる。
【００６１】
しかし、図４に示すように、スピーカ６を仮止めする際に作業者のミスでスピーカ６の外周が支持爪Ａ１０の返し１０Ａの上に乗り上げてしまう場合がある。この場合、スピーカ取付面９とマグネット８の距離が離れるため、両者の間に働く磁力が著しく低下する。
【００６２】
従来例では図９に示すように、スピーカ６の乗り上げが発生してスピーカ取付面９とマグネット８の間の磁力が低下しても、スピーカ６は指示爪Ｂ１１によって下面を支えられて脱落することはなかった。
【００６３】
本実施例では、支持爪Ｃ１２は角度αを有した形状を有しているため、スピーカ６が乗り上げ状態になるとスピーカ外周７の下端部は自重により支持爪Ｃ１２の斜面部を滑り落ち、図５に示すようにスピーカ６は取付面９から落下する。そのため、作業者は確実にスピーカ６の取付不良に気づくことができ、取付不良品が画像形成装置１の完成品に投入されてしまう事を防ぐことができる。
【００６４】
（実施例２）
次に、本発明の第２の実施例を図６に基づいて説明する。
【００６５】
第１の実施例では支持爪Ｃ１２はスピーカ６の真下に１個設置されていた。しかし、スピーカ６の脱落が発生したときに脱落を妨げないように、支持爪Ａ１０が脱落を妨げないよう返し１０Ａが水平方向から下側にかけての方向を向いている、あるいは支持爪Ｃ１２の斜面部にスピーカ外周１２が接するよう支持爪Ｃ１２がスピーカ６の下方に設置されている、などの条件を満たしていれば本発明の要件を満たすことが出来る。
【００６６】
例えば、図６に示すように、支持爪Ｃ１２が複数個設定されていても、あるいはスピーカ６の真下に設置されていなくてもよい。
【００６７】
（実施例３）
次に、本発明の第３の実施例を図７に基づいて説明する。
【００６８】
本実施例では、支持爪Ｃ１２は切り起し部の途中に曲げを備えている。図７に示すように、切り起しの根元側ではスピーカ取付面９に対して垂直な面を成していて、これを垂直面１２Ａと呼ぶ。また、切り起しの先端側では垂線に対して角度αを成す面を成していて、これを傾斜面１２Ｂと呼ぶ。
【００６９】
スピーカ６がスピーカ取付面９に正常に仮止めされた場合、スピーカ外周７の下端部は垂直面１２Ａに乗る。仮にマグネット８とスピーカ取付面９の間の磁力が弱くスピーカ６が下方に脱落しそうになっても、垂直面１２Ａを滑り落ちることは無い。よって、乗り上げが発生せずに正常にスピーカ６の取付が成された場合は、より確実にスピーカ６を仮止めすることが出来る。
【００７０】
一方、スピーカ６の乗り上げが発生した場合はスピーカ６全体の姿勢が不安定になるため、スピーカ外周７の下端部が傾斜面１２Ｂに乗る。すると、実施例１と同様にスピーカ６が傾斜面１２Ｂに沿って滑り、脱落する。
【００７１】
以上のように、乗り上げ発生時にスピーカ６脱落する効果を損なうことなく、乗り上げ未発生時にはスピーカ６の仮止めをより強固なものとすることが出来る。
【００７２】
スピーカ６や各支持爪の形状・配置などの各条件によって乗り上げ発生時のスピーカ６の姿勢がどうなるかを考慮に入れ、垂直面１２Ａの長さを適正な値に調整することが望ましい。
【図面の簡単な説明】
【００７３】
【図１】第１の実施例における画像形成装置の外観の斜視図。
【図２】第１の実施例におけるスピーカ取付部の詳細を示す斜視図。
【図３】第１の実施例におけるスピーカの取り付け方を説明する断面図。
【図４】第１の実施例におけるスピーカの乗り上げ発生時のスピーカ取付部の斜視図。
【図５】第１の実施例におけるスピーカ脱落の様子を説明するの断面図。
【図６】第２の実施例におけるスピーカ取付部の詳細を示す正面図。
【図７】第３の実施例におけるスピーカ取付部の詳細を示す断面図。
【図８】従来例におけるスピーカ取付部の詳細を示す断面図。
【図９】従来例におけるスピーカの乗り上げが発生した時の断面図。
【符号の説明】
【００７４】
１  画像成形装置
２  画像形成部
３  原稿読取部
４  給紙トレイ
５  操作パネル
６  スピーカ
７  スピーカ外周
８  マグネット
９  スピーカ取付面
１０  支持爪Ａ（返し有り）
１０Ａ  返し
１１  支持爪Ｂ（返し無し）
１２  支持爪Ｃ（角度αがついてる）
１２Ａ  垂直面
１２Ｂ  傾斜面
１３  防磁板
１４  固定爪（防磁板についている爪）
１５  ビス２
【図１】
2007166304.tif 000003
【図２】
2007166304.tif 000004
【図３】
2007166304.tif 000005
【図４】
2007166304.tif 000006
【図５】
2007166304.tif 000007
【図６】
2007166304.tif 000008
【図７】
2007166304.tif 000009
【図８】
2007166304.tif 000010
【図９】
2007166304.tif 000011